(57)【要約】【課題】使用時間によらず集塵性能の安定した電気掃除機を提供すること。【解決手段】集塵室１８内に装着され集塵室１８内に取り込まれる空気中の塵埃を濾過するフィルター１７ａに付着した塵埃を、フィルター押圧部とフィルター振動部とからなる塵埃剥離手段２１を用いて剥離するので、優れた集塵性能を維持し続ける電気掃除機が提供できる。【選択図】  図１
2005034213.tif 000002
【特許請求の範囲】
【請求項１】
吸引用の送風機を内包する本体と、前記送風機の吸引部に連通した吸い込み口と、前記吸い込み口から前記送風機への吸引経路に配設され塵埃を集積する集塵室と、前記集塵室内に装着され集塵室内に取り込まれる空気中の塵埃を濾過するフィルターと、前記フィルターに付着した塵埃をフィルターから剥離する塵埃剥離手段とを備え、前記塵埃剥離手段はフィルター表面に摩擦力を加えるフィルター押圧部と、前記フィルター押圧部を駆動するフィルター押圧部駆動手段と、フィルターを振動させるフィルター振動部とを有する電気掃除機。
【請求項２】
フィルターを複数有し、前記フィルターを吸引経路の吸い込み口側から送風機側に向けて並設した請求項１に記載の電気掃除機。
【請求項３】
フィルターにフィルター押圧部またはフィルター振動部を配した請求項２記載の電気掃除機。
【請求項４】
少なくとも一つのフィルターをプリーツ状に構成した請求項２または３に記載の電気掃除機。
【請求項５】
吸い込み経路の最上流に配したフィルターを平面状にすると共に、プリーツ状に構成されたフィルターを吸い込み経路の最下流に配した請求項２から４のいずれか１項に記載の電気掃除機。
【請求項６】
少なくとも吸い込み経路の最上流に配したフィルターにはフィルター押圧部およびフィルター振動部を配した請求項５記載の電気掃除機。
【請求項７】
送風機への電力の供給を入切する電源スイッチと、時間を測定するタイマーとを備え、前記電源スイッチを入にした後または切にした後一定時間、塵埃剥離手段を動作させる請求項１から６のいずれか１項に記載の電気掃除機。
【請求項８】
フィルターを覆っている塵埃の量を検出する塵埃量検出手段を有し、前記塵埃量検出手段が検出した塵埃量が所定値より多い時のみ前記塵埃剥離手段を動作させる請求項１から６のいずれか１項に記載の電気掃除機。
【発明の詳細な説明】
【０００１】
【発明の属する技術分野】
本発明は、家庭用の電気掃除機に関するものである。
【０００２】
【従来の技術】
従来の電気掃除機としては、吸い込み口が送風機の吸引部に連通し、吸い込み口から送風機への吸引経路は塵埃を蓄積する集塵室が設けられており、さらに集塵室の送風機の吸引側にはフィルターが配設され、フィルターを介して集塵室と送風機の吸引側とはつながっている。そして、送風機を運転するとその圧力で吸い込み口から床面等の上にある塵埃を空気と共に本体内に吸い込み、送風機の吸引側前段のフィルターが塵埃成分を捕獲するので塵埃と空気が分離され、空気のみが送風機に吸引されて本体外に排気され、フィルターに捕獲された塵埃成分は、フィルターが配設されている集塵室に蓄積され、掃除機使用者が必要に応じて集塵室に溜まった塵埃を捨てるものがあった（例えば、特許文献１参照）。
【０００３】
図１３は従来の掃除機のフィルターを示すもので、粗塵を捕捉するためのネットより構成される一次フィルター５２と不織布からなる二次フィルター５３を具え同一枠５４により成形され中央部５５より二つ折りした状態でフィルター５１を構成している。
【０００４】
また、図１４は従来の掃除機の構成を示すもので、集塵ケース５７内面のガイドリブ６６間に前記フィルター５１が挿入され、電動送風機５８の吸引力で塵埃を多量に含んだ空気流が流入し、一次フィルター５２で綿綿等の粗塵が、二次フィルター５３で細塵が分離濾過され、清浄な空気のみが本体外へ排出される構成となっていた。
【０００５】
【特許文献１】
特開昭６２−４９８２０号公報
【０００６】
【発明が解決しようとする課題】
しかしながら前記従来の構成では、フィルター表面に付着した塵埃の量が増すに従って、フィルターでの圧力損失が大きくなり、吸い込み口からの吸引力が低下し集塵性能が悪化してしまう。つまり集塵性能は集塵室のゴミが全くないときをピークにして使用時間が長くなればなるほど低くなってしまう。
【０００７】
そして、集塵性能をピーク時に戻そうとすると、フィルターを掃除したり水洗いしたりする必要があり非常に煩わしいものであった。またこの際、電気掃除機使用者の手にゴミが付着したり、部屋内にゴミを落としたりするなど非常に使い勝手が悪かった。
【０００８】
本発明は、上記課題を解決するもので、使用時間によらず集塵性能の安定した掃除機を実現することを目的としている。
【０００９】
【課題を解決するための手段】
前記従来の課題を解決するために本発明の電気掃除機は、塵埃を集積する集塵室と、前記集塵室内に装着され集塵室内に取り込まれる空気中の塵埃を濾過するフィルターと、前記フィルターに付着した塵埃をフィルターから剥離する塵埃剥離手段とを備え、前記塵埃剥離手段はフィルター表面に摩擦力を加えるフィルター押圧部と、前記フィルター押圧部を駆動するフィルター押圧部駆動手段と、フィルターを振動させるフィルター振動部とを有する構成としたので、フィルター表面を覆っている塵埃を塵埃剥離手段を用いて除去して集塵性能の安定した掃除機を実現することができる。
【００１０】
【発明の実施の形態】
請求項１に記載の発明は、吸引用の送風機を内包する本体と、前記送風機の吸引部に連通した吸い込み口と、前記吸い込み口から前記送風機への吸引経路に配設され塵埃を集積する集塵室と、前記集塵室内に装着され集塵室内に取り込まれる空気中の塵埃を濾過するフィルターと、前記フィルターに付着した塵埃をフィルターから剥離する塵埃剥離手段とを備え、前記塵埃剥離手段はフィルター表面に摩擦力を加えるフィルター押圧部と、前記フィルター押圧部を駆動するフィルター押圧部駆動手段と、フィルターを振動させるフィルター振動部とを有する電気掃除機とすることにより、フィルターを覆っている塵埃を除去し送風機の圧力のフィルターでの損失を低減するので、安定した集塵性能が発揮できる。
【００１１】
請求項２に記載の発明は、請求項１記載のフィルターを複数有し、前記フィルターを吸引経路の吸い込み口側から送風機側に向けて並設することにより、フィルターでの塵埃と空気との分離効率が向上するので、優れた集塵性能が発揮できる。
【００１２】
請求項３に記載の発明は、請求項２記載のフィルターにフィルター押圧部またはフィルター振動部を配することにより、安定した集塵性能が発揮できるとともに、集塵性能に優れた掃除機を実現できる。
【００１３】
請求項４記載の発明は、請求項２または３に記載のフィルターをプリーツ状に構成することにより、送風機の圧力のフィルターでの損失を低減すると共にフィルターの表面積を大きくし捕獲できる塵埃量を多くするので、安定した集塵性能が発揮できる。
【００１４】
請求項５記載の発明は、請求項２から４のいずれか１項に記載の吸い込み経路の最上流に配したフィルターを平面状にすると共に、プリーツ状に構成されたフィルターを吸い込み経路の最下流に配することにより、最初に大きな塵埃を捕獲し最後に小さな塵埃を捕獲するという様に大きな塵埃から順に捕獲するので安定した集塵性能が発揮できる。
【００１５】
請求項６記載の発明は、請求項５に記載の少なくとも吸い込み経路の最上流に配したフィルターにはフィルター押圧部およびフィルター振動部を配することにより、フィルター表面の塵埃のみならずフィルター内部に捕獲された塵埃もフィルターから剥離するので安定した集塵性能が発揮できるとともに、清掃時の消費電力量をおさえることができる。
【００１６】
請求項７記載の発明は、請求項１から６のいずれか１項に記載の送風機への電力の供給を入切する電源スイッチと、時間を測定するタイマーとを有し、前記電源スイッチを入にした後または切にした後一定時間塵埃剥離手段を動作させることにより、安定した集塵性能が発揮できるとともに、清掃時の消費電力量をおさえることができる。
【００１７】
請求項８記載の発明は、請求項１から６のいずれか１項に記載のフィルターを覆っている塵埃の量を検出する塵埃量検出手段を有し、前記塵埃量検出手段が検出した塵埃量が所定値より多い時のみ前記塵埃剥離手段を動作させることにより、安定した集塵性能が発揮できるとともに、清掃時の消費電力量をおさえることができる。
【００１８】
【実施例】
以下本発明の実施例について、図面を参照しながら説明する。
【００１９】
（実施例１）
図１に本発明の第一の実施例における電気掃除機の構成を、図２に床上にある吸い込み口の外観をそれぞれ示す。１１は送風機であり、モータ部１１ａ、及びファン部１１ｂより構成されている。ファン部１１ｂの中央には吸引部１２が設けられている。１１ｃはモータ部１１ａに設けられた排気口を示す。送風機１１は本体１３にシールを兼ねた防振ゴム前１４及び防振ゴム後１５を介して本体１３に支持されている。１６は吸い込み口であり、複数のフィルター１７ａ、１７ｂ、１７ｃを有した集塵室１８を介して送風機１１の吸引部１２に連通している。図３、４に示す様にフィルター１７ａ、１７ｂは平面状に構成され、フィルター１７ｃはプリーツ状に構成されている。これらフィルター１７ａ、１７ｂ、１７ｃの目の粗さは、吸引経路の吸い込み口１６側にあるほど粗くなっている。またフィルター１７ａ、１７ｂ、１７ｃそれぞれの表面はステンレス等の金属が蒸着されているため、蒸着しない場合に比べて著しく表面抵抗が低下している。フィルター１７ａ、１７ｂ、１７ｃはそれぞれフィルター支持部材２０ａ、２０ｂ、２０ｃにより集塵室１８に固定されているが、フィルター１７ａ、１７ｂ、１７ｃ及びフィルター支持部材２０ａ、２０ｂ、２０ｃは帯電防止処理が成されており正負いずれの静電気を帯びることがないようになっている。図４はプリーツ状に構成されたフィルターの外観図と要部断面図であるが、フィルターはプリーツの形状のまま保持されている。これによりフィルターの表面積を大きくする事でフィルターが捕獲する塵埃量も増やす事ができる。また、フィルター単位面積当たりの通過風量を低減し送風機１１の真空圧のフィルターでの損失を低減している。
【００２０】
２１は塵埃剥離手段で、フィルター押圧部２２ａ、２２ｂ、２２ｃ、ブラシ駆動モータ２６、モータ動力伝達部２７ａ、２７ｂ、２７ｃと、フィルター振動部４４とから構成されている。フィルター押圧部２２ａはブラシ２３、ブラシ回転軸２４ａから成り、ブラシ２３先端は、フィルター１７ａ表面を付勢するように取り付けられていて常にフィルター１７ａの表面に接触しつつ押圧している。モータ動力伝達部２７ａはタイミングベルト２８ａ、プーリー２９ａとから成り、ブラシ駆動モータ２６の回転トルクを減速してブラシ回転軸２４ａに伝達するようになっている。ブラシ２３表面はステンレス等の金属が蒸着されているため、蒸着しない場合に比べて表面の接触抵抗が著しく低下している。ブラシ２３は帯電防止処理が成されており正負いずれの静電気を帯びることがないようになっている。フィルター押圧部２２ｂについてもフィルター押圧部２２ａと同様の構成になっている。
【００２１】
また、モータ動力伝達部２７ｃは軸で外形はネジ形状になっている。フィルター押圧部２２ｃはブラシ２３、ブラシ支え２５から成り、ブラシ２３先端は、フィルター１７ｃ表面を付勢するように取り付けられていて常にフィルター１７ｃの表面に接触しつつ押圧している。図５に示すようにブラシ支え２５の先端形状は、フィルター１７ｃ表面からブラシ支え２５表面までの距離が一定になるように構成されており、フィルター１７ｃ表面と対向する面にブラシ２３が配設されている。ブラシ支え２５にはモータ動力伝達部２７ｃ外形のネジと同じ呼び径のネジ３３と、モータ動力伝達軸２７ａの外径よりわずかに大きな径の孔３４が設けられている。ブラシ２３表面はステンレス等の金属が蒸着されているため、蒸着しない場合に比べて表面の接触抵抗が著しく低下している。ブラシ２３およびブラシ支え２５は帯電防止処理が成されており正負いずれの静電気を帯びることがないようになっている。
【００２２】
フィルター振動部４４はソレノイド４５とフィルター振動棒４６とからなり、フィルター振動棒４６はソレノイド４４に直結されると共にフィルター１７ｃ表面を付勢するように取り付けられていて常にフィルター１７ａの表面に接触しつつ押圧していて、ソレノイド４４の振動がフィルター振動棒４６によってフィルター１７ｃに伝達されるようになっている。
【００２３】
以上記述したように、フィルター１７ａ、１７ｂにはフィルター押圧部２２ａ、２２ｂが配され、吸引経路の最下流にあるプリーツ状のフィルター１７ｃにはフィルター押圧部２２ｃとフィルター振動部４４が配されている。
【００２４】
図１および図３を用いてフィルター１７ａ、１７ｂの塵埃剥離手段２１の動作を説明する。ブラシ駆動モータ２６ａに電力が供給されると、ブラシ駆動モータ２６ａが回転し、それらの回転力がそれぞれタイミングベルト２８ａ、２８ｂ、プーリー２９ａ、２９ｂを介して減速されブラシ回転軸２４ａ、２４ｂに伝えられる。そのためブラシ２３がフィルター１７ａ、１７ｂ表面へ押さえつけられながら回転し続けて、フィルター１７ａ、１７ｂで分離されフィルター１７ａ、１７ｂ表面に付着した塵埃３６ａ、３６ｂはブラシ２３により剥離され、その剥離された塵埃は塵埃蓄積室３５ａ、３５ｂ内に蓄積される。この塵埃剥離の時、フィルター１７ａ及びブラシ２３、ならびにフィルター１７ｂ及びブラシ２３の表面接触抵抗が著しく低いため塵離れが容易であり、それぞれに剥離されずに残る塵はない。さらにフィルター１７ａ及びブラシ２３、ならびにフィルター１７ｂ及びブラシ２３は帯電防止処理が施され静電気を帯びることが無いので、塵埃が静電気によりフィルター１７ａ、１７ｂ及びブラシ２３に付着することが無い。
【００２５】
図６および図７を用いてフィルター１７ｃの塵埃剥離手段２１の動作を説明する。フィルター押圧部２２ｃはネジ３３をモータ動力伝達部２７ｃに締結されると共に、孔３４にブラシガイド３９（モータ動力伝達軸２７ａと同じ外径）が貫通した状態で静止している。ブラシ駆動モータ２６に通電されると、モータ動力伝達部２７ｃが回転する。モータ動力伝達部２７ｃはモータ回転軸（図示せず）に結合されているので上下方向には移動しないが、フィルター押圧部２２ｃはその回転に伴い矢印３１方向に平行移動する。このとき、孔３４がブラシガイド３９に接しながら移動するのでブラシ２３先端がフィルター１７ｃ表面を付勢した状態を維持したままフィルター押圧部２２ｃは移動する事になる。これによりブラシ２３がフィルター１７ｃ表面を一方向に擦りフィルター１７ｃ表面の塵埃３６ｃを剥離する事ができる。一定時間ブラシ駆動モータ２６を回転させるとフィルター押圧部２２ｃは初期位置４９から終端位置５０まで直線移動する。次に同じ時間ブラシ駆動モータ２６を逆回転させるとフィルター押圧部２２ｃは矢印３２方向に平行移動し初期位置４９までもどり、ブラシ２３がフィルター１７ｃ表面を直線運動で往復した事になる。これらフィルター押圧部２２ｃは直動方向に併設されているので、フィルター押圧部一個当たりの移動距離が短くなり塵埃剥離に要する時間を短縮する事になる。
【００２６】
ソレノイド４５の振動子（図示せず）にはフィルター振動棒４６が接続されており、ソレノイド４５の振動がそのままフィルター振動棒４６に伝わる。フィルター振動棒４６のソレノイド４５に接続されていない方の端は、フィルター１７ｃ表面を付勢するように取り付けられていて常にフィルター１７ａの表面に接触しつつ押圧している。ソレノイド４５へ電力が供給されるとソレノイド４５が振動し、その振動がフィルター振動棒４６を介してフィルター１７ｃに伝えられる。これによりフィルター１７ｃが振動し材質の内部にまで入り込んだ塵埃をフィルター１７ｃから剥離することができる。
【００２７】
図８はブラシ駆動モータ２６への電力供給のオンオフ制御の構成を示している。４０は送風機１１への電力供給のオンオフを行う掃除機のスイッチ、４１は送風機１１へ供給されている電力を検出する電力検出部、４２は電力検出部４１の出力に応じて経過時間を測定する時間測定部である。スイッチ４０が入れられて電力検出部４１が電力を検出すると、電力検出部４１からの信号によりモータ駆動手段８が電源９からブラシ駆動モータ２６へ電流を流すと同時に電力検出部４１からの信号により時間測定部４２が、電力検出部４１から信号を受けてからの時間を測定し始めるように制御されている。時間測定部４２が測定した時間があらかじめ決められた時間を超えると時間測定部４２からの信号により、モータ駆動手段８が電源９からブラシ駆動モータ２６への電流を遮断するようになっている。
【００２８】
図９はソレノイド４５への電力供給のオンオフ制御の構成を示しており、ブラシ駆動モータ２６への電力供給のオンオフ制御と同様である。
【００２９】
次に動作について説明する。送風機１１を駆動すると吸引力が発生し、矢印４３で示すよう床面４２の塵埃が吸い込み口１６から吸引され始める。同時に電力検出部４１が送風機１１への電力供給を検出するのでモータ駆動手段８が電源９からブラシ駆動モータ２６へ電流を流し、ブラシ２３がフィルター１７表面へ押さえつけられながらあらかじめ決められた回転や直線往復運動を行う。このことにより電源スイッチ４０が入れられると同時にフィルター１７表面に付着していた塵埃はブラシ２３により剥離され、フィルター１７表面は塵埃が全く付着していない新品と同じ状態に戻される。
【００３０】
このとき時間測定部３７は送風機１１に電力が供給してからの経過時間を測定していて、その時間があらかじめ定められた時間を超えると、ブラシ駆動モータ２６への電力供給を遮断し塵埃剥離手段の動作を停止する。
【００３１】
この塵埃剥離の時、フィルター１７ａ及びブラシ２３の表面接触抵抗が著しく低いため塵離れが容易であり、それぞれに剥離されずに残る塵はない。さらにフィルター１７ａ及びブラシ２３は帯電防止処理が施され静電気を帯びることが無いので、塵埃が静電気によりフィルター１７ａ及びブラシ２３に付着することが無い。
【００３２】
吸い込み口１６から吸引された塵埃は、フィルター１７ａ、１７ｂ、１７ｃで塵埃が分離され、清浄な気流が矢印３０ａで示すように本体１３の本体排気口３２より排気される。これにより床面の吸引清掃ができる。フィルター１７ａで分離し切れなかった塵埃の内一部がフィルター１７ｂで分離され、フィルター１７ｂで分離し切れなかった塵埃がフィルター１７ｃで分離される。フィルター１７ａ、１７ｂ、１７ｃで分離される塵埃３６ａ、３６ｂ、３６ｃは、塵埃３６ａ、３６ｂ、３６ｃの順で塵埃の量も多くなる。ここではフィルターを複数設ける事で掃除機として一回の掃除で集塵できる塵埃量を著しく増やしている。またフィルター１７ａ、１７ｂ、１７ｃの目の粗さは、吸引経路の吸い込み口１６側にあるほど粗くなっているので、フィルター１７ａ、１７ｂ、１７ｃで分離される塵埃３６ａ、３６ｂ、３６ｃは、塵埃３６ｃ、３６ｂ、３６ａの順で塵埃が細かくなる。
【００３３】
フィルター１７ａ、１７ｂで分離される塵埃３６ａ、３６ｂは蓄積する速度が異なるが、モータ動力伝達部２７ａ、２７ｂでの減速比を変えてあるため、塵埃が蓄積する速度に応じてブラシ２３がフィルター表面から剥離する頻度が適切なものになっているのである。
【００３４】
フィルター１７ａ、１７ｂ、１７ｃの目の粗さの関係上、塵埃３６ａ、３６ｂは紙屑や毛髪、糸屑、綿塵のような比較的大きなものが多くなるが、塵埃３６ｃは砂塵やセメント粉の様な非常に細かいものになる。これら細かい塵埃はフィルター１７ｃ表面のみならずフィルター１７ｃを構成する材質の内部にまで入り込むことになる。このためフィルター押圧部２２ｃでフィルター１７ｃ表面を擦るだけでは塵埃３６ｃすべてをフィルター１７ｃから分離することが出来ない。しかしながら、送風機１１に通電されると同時にソレノイド４５へ電力が供給され、あらかじめ決められた時間だけフィルター振動部４４が駆動されるため、ソレノイド４５の振動がフィルター１７ｃに伝えられてフィルター１７ｃが振動しフィルター１７ｃの材質の内部にまで入り込んだ塵埃をフィルター１７ｃから剥離する。
【００３５】
３つの塵埃蓄積室がそれぞれ分離して本体より着脱自在なので、使用者が塵埃蓄積室３５ａ、３５ｂ、３５ｃ内に溜まった塵埃の量に応じて、塵埃蓄積室３５３５ａ、３５ｂ、３５ｃ内の塵埃をそれぞれ独立して廃棄できるのである。
【００３６】
以上説明したように、掃除中には集塵室１８内のフィルター表面の塵埃は塵埃剥離手段２１により剥離されると共にフィルターの素材の内部に捕獲されている塵埃がその振動でフィルター外に取り出されるので、フィルターが塵埃で目詰まりを起こすなどにより圧力損失が大きく変動することが無い。このことにより吸い込み口１６からの吸い込み力の変化も少なく安定した集塵性能を発揮する事ができる。また、集塵室１８内のフィルター表面の塵埃が自動的に剥離され続けるので、電気掃除機使用者がフィルターを掃除したり水洗いしたりと言ったフィルターメンテナンスが一切不要である。さらに、塵埃剥離手段２１のブラシの塵離れが良いのでこのブラシのメンテナンスも不要である。
【００３７】
なお本実施例では、フィルター押圧部２２ｃの直動動作を一往復としたが、これは往復回数を限定するものではなく、往復回数が増えればフィルター１７ｃ上の塵埃３６ｃの剥離が確実に行われるのは言うまでも無い。
【００３８】
また、空気と塵埃の分離を行うよう期と塵埃を蓄積する容器を分離し、塵埃を蓄積する容器がフィルターなどの別部品を内包しない単純なものにできるのでゴミ捨て作業性をよくできる。
【００３９】
なお本実施例では、スイッチ４０が入れられて電力検出部４１が電力を検出すると、一定時間電源９からブラシ駆動モータ２６へ電流を流すようなブラシ駆動モータ２６への電力供給のオンオフ制御を行ったが、電力検出部４１が送風機１１へ供給されている電力が０に変化したことを検出した後一定時間電源９からブラシ駆動モータ２６へ電流を流すようなブラシ駆動モータ２６への電力供給のオンオフ制御を行っても同様の効果が得られる。
【００４０】
（実施例２）
本発明の第二の実施例における電気掃除機を、図１０、図１１および図１２を用いて説明する。実施例１と同様な部分は同符号を付してその説明を省略する。
【００４１】
図１０にフィルター駆動モータ２６への電力供給のオンオフ制御の構成を示している。送風機１１へ流れている電流量を電流量検出部４８が測定している。電流量検出部４８が検出する電流値が所定の値を超えると、電流量検出部４８からの信号によりモータ駆動手段８が電源９からブラシ駆動モータ２６へ電流を流すように制御している。その後電流量検出部４８が検出する電流値が所定の値を下回ると、電流量検出部４８からの信号によりモータ駆動手段８が電源９からブラシ駆動モータ２６への電流を遮断するようになっている。
【００４２】
図１１にソレノイド４５への電力供給のオンオフ制御の構成を示しており、ブラシ駆動モータ２６への電力供給のオンオフ制御と同様である。
【００４３】
図１２にフィルターを覆っている塵埃の量と送風機に通電される電流量の関係を示す。この図に示すようにフィルターを覆っている塵埃の量に反比例して送風機に通電される電流の量が減るのである。フィルターを覆っている塵埃の量が多くなるとフィルターでの圧力損失が増し送風機のファン部へ流れ込む空気の量が少なくなる。このためファンを回転させるときの空気抵抗が減るためモータへの負荷が減り、モータへ流れる電流が減るという現象である。つまりモータへ流れる電流値を検出することが、フィルターを覆っている塵埃の量を検出することになるのである。事前にモータへ流れる電流値がどのくらいの値になればフィルターが目詰まりをおこし集塵性能が悪くなっているのか確認しておけばよい。
【００４４】
次に動作について説明する。送風機１１を駆動すると吸引力が発生し、矢印４３で示すよう床面４２の塵埃が吸い込み口１６から吸引され、フィルター１７で塵埃が分離され、清浄な気流が矢印３０ａで示すように本体１３の本体排気口３２より排気される。これにより床面の吸引清掃ができる。
【００４５】
清掃中は送風機１１へ流れている電流量を電流量検出部４８が測定しており、その電流値が所定の値を超えると、電流量検出部４８からの信号によりモータ駆動手段８が電源９からブラシ駆動モータ２６へ電力が供給され塵埃剥離手段２１が駆動される。するとブラシ２３がフィルター１７表面へ押さえつけられながら回転または直線運動を続けるので、フィルター１７で分離されフィルター１７表面に付着した塵埃はブラシ２３により剥離され、その剥離された塵埃は集塵室１８内に蓄積される。電源９がブラシ駆動モータ２６へ電力を供給するのと同時に、電源９からソレノイド４５へも電力が供給されるのでソレノイドの振動がフィルターに伝えられフィルターの素材の内部に捕獲されている塵埃がその振動でフィルター外に振り出され、その振り出された塵埃は集塵室１８内に蓄積される。
【００４６】
フィルター１７表面に付着した塵埃がブラシ２３により剥離されると共に、フィルターの素材の内部に捕獲されている塵埃がその振動でフィルター外に振り出されて電流量検出部４８が検出する電流値が所定の値を下回ると、電流量検出部４８からの信号によりモータ駆動手段８が電源９からブラシ駆動モータ２６への電流を遮断し塵埃剥離手段２１が停止すると共に、ソレノイド４５への電流を遮断しフィルター振動部４４が停止する。この様に塵埃剥離手段２１ならびにフィルター振動部４４の動作時間を必要最小限にし消費電力量をおさえている。
【００４７】
この塵埃剥離の時、フィルター１７及びブラシ２３の表面接触抵抗が著しく低いため塵離れが容易であり、それぞれに剥離されずに残る塵はない。さらにフィルター１７及びブラシ２３は帯電防止処理が施され静電気を帯びることが無いので、塵埃が静電気によりフィルター１７及びブラシ２３に付着することが無い。
【００４８】
以上説明したように、掃除中には必要に応じて集塵室１８内のフィルター１７表面の塵埃は塵埃剥離手段２１により剥離されると共にフィルターの素材の内部に捕獲されている塵埃がフィルター振動部４４の振動によりフィルター外に取り出されるので、フィルター１７が塵埃で目詰まりを起こすなどにより圧力損失が大きく変動することが無い。このことにより吸い込み口１６からの吸い込み力の変化も少なく安定した集塵性能を発揮する事ができる。また、集塵室１８内のフィルター１７表面の塵埃が自動的に剥離され続けるので、電気掃除機使用者がフィルター１７を掃除したり水洗いしたりと言ったフィルターメンテナンスが一切不要である。さらに、塵埃剥離手段２１のブラシ２３の塵離れが良いのでこのブラシ２３のメンテナンスも不要である。
【００４９】
【発明の効果】
以上のように、本発明によれば、塵埃と空気を分離するフィルターの自動クリーニングを実現することにより、使用時間によらず集塵性能の安定した掃除機を実現できる。
【図面の簡単な説明】
【図１】本発明の実施例１における電気掃除機の集塵部の構成を示す図
【図２】同、床上にある吸い込み口の外観図
【図３】同、平面状フィルターの外観図
【図４】同、プリーツ状フィルターの外観および断面図
【図５】同、プリーツ状フィルター押圧部の動作を示す図
【図６】同、プリーツ状フィルター押圧部の動作を示す図
【図７】同、プリーツ状フィルターとフィルター押圧部の位置を示す図
【図８】同、ブラシ駆動モータへの電力供給制御の構成を示す図
【図９】同、ソレノイドへの電力供給制御の構成を示す図
【図１０】本発明の実施例２における電気掃除機のブラシ駆動モータへの電力供給制御の構成を示す図
【図１１】同、フィルターを覆っている塵埃の量と送風機に通電される電流値の関係を示す図
【図１２】同、ソレノイドへの電力供給制御の構成を示す図
【図１３】従来の電気掃除機のフィルターを示す図
【図１４】従来の電気掃除機の構成を示す図
【符号の説明】
１１  送風機
１３  本体
１６  吸い込み口
１７ａ、１７ｂ、１７ｃ  フィルター
１８  集塵室
２１  塵埃剥離手段
２２ａ、２２ｂ、２２ｃ  フィルター押圧部
２６  ブラシ駆動モータ
３７  時間測定部
４０  電源スイッチ
４１  電流量検出部
４４  フィルター振動部
【図１】
2005034213.tif 000003
【図２】
2005034213.tif 000004
【図３】
2005034213.tif 000005
【図４】
2005034213.tif 000006
【図５】
2005034213.tif 000007
【図６】
2005034213.tif 000008
【図７】
2005034213.tif 000009
【図８】
2005034213.tif 000010
【図９】
2005034213.tif 000011
【図１０】
2005034213.tif 000012
【図１１】
2005034213.tif 000013
【図１２】
2005034213.tif 000014
【図１３】
2005034213.tif 000015
【図１４】
2005034213.tif 000016